(57)【要約】【課題】係留索２に加わる負担が小さく、しかも柔軟性に富み、海草様の揺動が得やすい人工漁礁とする。【解決手段】複数の浮力体１を１本の係留索２で１列に連結した浮力体１の列を単列又は２列アンカー部３につなぎ止め、浮力体１及び／又は係留索２に、魚が集まりやすい陰になる部分を形成する集魚部材４を設ける。【選択図】      図１
2004329079.tif 000002
【特許請求の範囲】
【請求項１】
複数の浮力体を１本の係留索で１列に連結した浮力体の列に集魚部材が設けられていることを特徴とする特徴とする人工漁礁。
【請求項２】
集魚部材が、浮力体から突き出た板材、パイプ又は棒材で構成されていることを特徴とする請求項１に記載の人工漁礁。
【請求項３】
集魚部材が、係留索の周囲に設けられた柔軟な筒又は提灯状の網材で構成されていることを特徴とする請求項１又は２に記載の人工漁礁。
【発明の詳細な説明】
【０００１】
【発明の属する技術分野】
本発明は、アンカー部に係留された浮力体によって海中に浮揚設置される人工漁礁に関する。
【０００２】
【従来の技術】
従来、アンカー部に係留された浮力体によって海中に浮揚設置される人工漁礁としては、複数の浮力体を直列に連結してアンカー部につなぎ止める複数の係留索を、浮力体の周囲に配置して、籠状柱状部を構成したものが知られている（例えば、特許文献１参照）。
【０００３】
【特許文献１】
特開２０００−２４５２９０の図４、図５
【０００４】
【発明が解決しようとする課題】
しかしながら、上記従来の人工漁礁は、複数の係留索が籠状柱状部という立体構造（三次元的構造）を構成することから、全体としては柔軟性に乏しく、海流によって受ける押圧力を受け流しにくい。このため、係留索にかかる負担が大きく、各係留索を十分強固なものとしておかないと破断しやすいことから、コストがかかる問題がある。また、良好な集魚性を得るためには、海流による海藻様の揺動があることが好ましいが、上記の理由から、集魚性を高める海中での動きに乏しい問題もある。
【０００５】
本発明は、上記従来の問題点に鑑みてなされたもので、係留索に加わる負担が小さく、しかも柔軟性に富み、海草様の揺動が得やすい人工漁礁とすることを目的とする。
【０００６】
【課題を解決するための手段】
本発明の第１は、上記目的のために、複数の浮力体を１本の係留索で１列に連結した浮力体の列に集魚部材が設けられていることを特徴とする特徴とする人工漁礁を提供するものである。
【０００７】
上記本発明の第１は、集魚部材が、浮力体から突き出た板材、パイプ又は棒材で構成されていること、集魚部材が、係留索の周囲に設けられた柔軟な筒又は提灯状の網材で構成されていること、をその好ましい態様として含むものである。
【０００８】
また、本発明の第２は、複数の浮力体を１本の係留索で１列に連結した浮力体の列を２列備え、両浮力体列間に柔軟な平面状の網材が張り渡されていることを特徴とする人工漁礁を提供するものである。
【０００９】
上記本発明の第２は、網材が、捻って張り渡されていること、をその好ましい態様として含むものである。
【００１０】
【発明の実施の形態】
以下、図面に基づいて本発明を詳細に説明する。
【００１１】
図１〜図３は、本発明の人工漁礁の第１の例を示すもので、図１は一部を省略した全体図、図２は浮力体周りの拡大側面図、図３は浮力体周りの拡大平面図である。
【００１２】
図１に示されるように、本例の人工漁礁は、複数の浮力体１を１本の係留索２で１列に連結した浮力体１の列を、単列でアンカー部３につなぎ止めたものとなっている。
【００１３】
本例における浮力体１は、図２及び図３に示されるように、内部が密閉された中空筒状をなしており、その周囲に、魚が集まりやすい陰になる部分を形成するための集魚部材４が突設されている。
【００１４】
本例の浮力体１は、例えば両端が密閉された鋼管、繊維強化プラスチック管などによって構成することができる。鋼管を用いる場合、表面に合成樹脂コーティングなどの防食被覆を施しておくことが好ましい。
【００１５】
本例における集魚部材４は、浮力体１と同様の材質の板材で構成されており、浮力体１の軸方向（直列方向）に沿って突出した羽根状フィン４ａと、中間部軸回りに張り出した円盤状フィン４ｂとで構成されている。この羽根状フィン４ａと円盤状フィン４ｂは、前記のように、魚が集まりやすい陰になる部分を形成するためのものであるが、特に円盤状フィン４ｂは、係留索２が破断して浮力体１が浮上する時の抵抗となって浮上速度を抑え、浮力体１が勢いよく海面５上に飛び出してしまうのを防止するためのものでもある。
【００１６】
係留索２としては、例えば合成繊維ロープ、防食処理を施した鋼製鎖、防食処理を施したワイヤーなどを用いることができる。
【００１７】
アンカー部３としては、一般的にはコンクリートブロックが用いられるが、碇状の部材とすることもできる。
【００１８】
本発明に係る人工漁礁は、アンカー部３に係留されて、海面５下に没した状態で浮揚して設置されるもので、各浮力体１を１本の係留索２で直列させた一次元的構成となっているので、浮力体１の列は、係留索２の屈曲性により、海中で自由に屈曲することができる。従って、海流の押圧力を柔軟に受け流すことができ、係留索２に加わる負荷を軽減することができると共に、海流による海草様の揺動を得ることができる。また、浮力体１が複数直列に連なることで、係留索２に加わる浮力も分散され、これによっても係留索２の負担を軽減することができる。
【００１９】
図４及び図５は、集魚部材４の他の例を示すもので、浮力体１は図２及び図３で説明したものと同様であるが、集魚部材４は、浮力体１の外面に突設された半円形のパイプによって構成されている。このような集魚部材４とすると、海流の当たりを和らげることができる。また、本例の集魚部材４は中実の棒材で構成することもできるが、重量を軽減できることから、上記のようにパイプで構成することが好ましい。
【００２０】
図６は、本発明の人工漁礁の第２の例を示すもので、複数の浮力体１を１本の係留索２で１列に連結した浮力体１の列を、単列でアンカー部３につなぎ止めたものとなっている点は前記第１の例と同様であるが、集魚体４が浮力体１ではなく、係留索２に設けられたものとなっている。即ち、本例における浮力体１は、球形のブイ状をなしていて表面は平坦であるが、この浮力体１を連結する係留索２の周囲には、柔軟な筒又は提灯状の網材が取り付けられており、これが集魚体４を構成している。
【００２１】
本例のような集魚体４は、集魚体４の設置領域を広くとれることから、直列される浮力体１の間隔が広く、これを連結する係留索２の長さが長くなる場合に有効である。また、本例の集魚体４は、柔軟な筒又は提灯状の網材であるので、係留索２の屈曲性を妨げることがなく、前述した浮力体１の列の柔軟な屈曲性はそのまま維持することができる。
【００２２】
なお、前記第１の例における係留索２の周囲に、上記柔軟な筒又は提灯状の網材で構成された集魚部材４を設け、浮力体１と係留索２の両者に集魚部材４を設けたものとして、集魚性能を更に向上させることもできる。
【００２３】
【発明の効果】
本発明は、以上説明したとおりのものであり、従来のような三次元構造ではなく、一次元又は二次元構造とすることにより、海流に対する柔軟性を持たせたものであり、係留索の使用本数が少ないだけでなく、係留索への負担が軽減される結果、高強度の係留索によらずに構成することができ、コストを大幅に軽減することができる。また、海流によって海草様の揺動を生じやすく、集魚能力を向上させることができるものである。
【図面の簡単な説明】
【図１】本発明の第１の例に係る人工漁礁の一部を省略した全体図である。
【図２】図１に示される浮力体周りの拡大側面図である。
【図３】図２に示される浮力体周りの平面図である。
【図４】他の集魚手段の例を示す浮力体周りの拡大側面図である。
【図５】図４に示される浮力体周りの平面図である。
【図６】本発明の第２の例に係る人工漁礁の一部を省略した全体図である。
【符号の説明】
１    浮力体
２    係留索
３    アンカー部
４    集魚部材
４ａ  羽根状フィン４ａ
４ｂ  円盤状フィン４ｂ
５    海面
【図１】
2004329079.tif 000003
【図２】
2004329079.tif 000004
【図３】
2004329079.tif 000005
【図４】
2004329079.tif 000006
【図５】
2004329079.tif 000007
【図６】
2004329079.tif 000008